(57)【要約】      （修正有）【課題】パチンコ台枠を島に所定の傾斜角度で取り付ける際に利用される傾斜測定器の担持具を提供する。【解決手段】傾斜測定器を収納する傾斜器収納部８と、傾斜測定器の測定方向に向けて、傾斜器収納部から延出させて設けたアーム１１と、パチンコ台枠の前後いずれかの面に当接するように、アームの先端側で前記アームの側壁面と直角な面を有する前方挟持部１２と、前方挟持部に対面させて設けた後方挟持部１３ａ、１３ｂとを備え、前方挟持部には、前後に伸縮する弾性部材１４が設けられる。【選択図】図１
0003116356.tif 000002
【実用新案登録請求の範囲】
【請求項１】
傾斜測定器をパチンコ台枠に担持させる担持具であって、
前記傾斜測定器を収納する傾斜器収納部と、
前記傾斜測定器の測定方向に向けて、前記傾斜器収納部から延出させて設けたアームと、
前記パチンコ台枠の前後いずれかの面に当接する当接面が、前記アームの先端側で前記アームの側壁面と直角となるように設けられた前方挟持部と、
前記前方挟持部に対面して配置され、前記前方挟持部とともにパチンコ台枠を挟持する後方挟持部とを備えたことを特徴とする傾斜測定器の担持具。
【請求項２】
前記前方挟持部をパチンコ台枠に弾性的に当接させる弾性部材が設けられていることを特徴とする請求項１に記載の傾斜測定器の担持具。
【請求項３】
前記傾斜測定器の計器窓を視認するための観測窓がパチンコ台枠の内側に向くように、前記傾斜器収納部に設けられていることを特徴とする請求項１または２に記載の傾斜測定器の担持具。
【請求項４】
前記後方挟持部は、前記傾斜器収納部の上下２箇所に設けられていることを特徴とする請求項１ないし３の何れかに記載の傾斜測定器の担持具。
【請求項５】
前記アームを前記傾斜器収納部の左右の側壁にそれぞれ設け、左側のアームには、前記前方挟持部を左側に突出させて設け、右側のアームには、前記前方挟持部を右側に突出させて設けたことを特徴とする請求項１ないし４の何れかに記載の傾斜測定器の担持具。
【考案の詳細な説明】
【技術分野】
【０００１】
本考案はパチンコ台枠を島に取り付ける際に、その傾斜角度が読み取れるように、傾斜測定器をパチンコ台枠に担持させる担持具に関する。
【背景技術】
【０００２】
パチンコ台は、島と呼ばれる架に嵌め込まれたパチンコ台枠に取り付けられるが、その上部を背面方向に引いて位置させることにより、概ね、パチンコ台枠全体が背面側に傾斜するようにして取り付けられる。これにより、パチンコ台枠は、その傾斜角度が個別に調節される。すなわち、パチンコ台枠に嵌め込まれるパチンコ台の傾斜角度は、パチンコ台枠の傾斜角度が調節されることにより調節される。そして、パチンコ台の傾斜角度の違いは、出球の善し悪しに係ることであるから、日常的に微調整がなされる。しかし、島に対してパチンコ台枠の傾斜角度を調節する作業は、一方の手に水準器を持ちながら、他方の手でパチンコ台枠の傾斜角度を調節することになるので、その作業は神経を使い心労を伴う。
【０００３】
特許文献１には、島の背面側の下部にハンマー部材とピンを有する親固定金具と、島の背面側の上部に子固定金具が設けられ、パチンコ台枠が嵌め込まれるとともに、親と子の固定金具のダイヤルを調整して傾斜角度が調整されることが記載されている。また、傾斜器に関しては、特許文献２に記載のような気泡管に気泡を入れたものや、指針の逆側に重りをつけた指針が軸心の回りに振れることを利用した指針型などがある。
【特許文献１】特開２００４−０８１７６２号公報
【特許文献２】特開２００４−１４７７５２号公報
【考案の開示】
【考案が解決しようとする課題】
【０００４】
本考案の目的は、パチンコ台が嵌め込まれるパチンコ台枠を島に取り付けて、パチンコ台枠の傾斜角度を変更するような場合に、手で押さえる必要がなく、傾斜器をパチンコ台枠に簡単に挟んで保持できるようにすることである。
【課題を解決するための手段】
【０００５】
本考案の傾斜測定器の担持具は、傾斜測定器をパチンコ台枠に担持させる担持具であって、前記傾斜測定器を収納する傾斜器収納部と、前記傾斜測定器の測定方向に向けて、前記傾斜器収納部から延出させて設けたアームと、前記パチンコ台枠の前後いずれかの面に当接する当接面が、前記アームの先端側で前記アームの側壁面と直角となるように設けられた前方挟持部と、前記前方挟持部に対面して配置され、前記前方挟持部とともにパチンコ台枠を挟持する後方挟持部とを備えたことを特徴とする。前記前方挟持部をパチンコ台枠に弾性的に当接させる弾性部材が設けられていることを特徴とする。
【０００６】
前記傾斜測定器の計器窓を視認するための観測窓がパチンコ台枠の内側に向くように、前記傾斜器収納部に設けられていることを特徴とする。前記後方挟持部は、前記傾斜器収納部の上下２箇所に設けられていることを特徴とする。
【０００７】
前記アームを前記傾斜器収納部の左右の側壁にそれぞれ設け、左側のアームには、前記前方挟持部を左側に突出させて設け、右側のアームには、前記前方挟持部を右側に突出させて設けたことを特徴とする。
【考案の効果】
【０００８】
本考案の傾斜測定器の担持具は、傾斜器収納部に傾斜測定器を収納し、前方挟持部と後方挟持部との間にパチンコ台枠を挟み担持させることができるので、傾斜測定器を手でパチンコ台枠に当接させる必要がなく、パチンコ台枠の傾き調節が両手でできるようになる。
前方挟持部に弾性部材を設けた場合には、前方挟持部をパチンコ台枠の一端面に掛けて引き、前方挟持部と後方挟持部の間隔を広げることによって、パチンコ台枠を前後で挟み込むことができ、ネジを回して固定するような煩わしさがない。
【０００９】
パチンコ台枠の内側に向けた観測窓から、傾斜測定器の計器窓が視認された場合には、計器窓を見ながらパチンコ台枠の取り付け作業ができるので、作業効率がよくなる。
傾斜器収納部の上下２箇所に後方挟持部を設けることにより、前方挟持部と合わせて３箇所の挟持部でパチンコ台枠を挟むことができ、安定的に傾斜測定器を担持させることができる。
【００１０】
アームを傾斜器収納部の左右の側壁にそれぞれ設けることにより、パチンコ台枠の左右の何れであっても、それぞれの縦枠に傾斜測定器を担持させることができる。
【考案を実施するための最良の形態】
【００１１】
図１は、本考案の傾斜測定器の担持具１０を示した斜視図であり、図２は、担持具１０の使用を説明する説明図である。また、図３および図４は、図２のそれぞれＡ方向もしくはＢ方向から見た状態で担持具１０を説明する説明図である。これら図１乃至図４に示されるように、傾斜測定器の担持具１０は、パチンコ台枠２の縦枠を前後から挟持して、傾斜測定器５をパチンコ台枠２の縦枠と平行に担持させるものである。この使用状態でパチンコ台枠２の上方を前後何れかに位置移動させてパチンコ台枠２を傾けるが、この傾きの度合いは担持具１０に装着された傾斜測定器５で見ることができるようになる。以下、図を基に詳述する。
【００１２】
図１に示したように、傾斜測定器の担持具１０は、傾斜測定器５を収納する傾斜器収納部８と傾斜器収納部８の中央から直角方向（傾斜測定器の測定方向）に伸びるアーム１１とで、略Ｔ字形状に形成される。アーム１１の先端側の側壁には、アーム１１の側壁面と直角な面を有する前方挟持部１２が、その側壁に沿って設けられ、傾斜器収納部８には、前方挟持部１２に対面させて、上下に２箇所の後方挟持部（１３ａ、１３ｂ）が設けられる。この前方挟持部１２は、前後に伸縮するバネ１４（弾性部材）で付勢することにより、前後に移動可能なものとなっている。因みに、傾斜測定器５の測定方向とは、パチンコ台枠２の傾斜を測定するために傾斜測定器５が傾けられる方向である。
【００１３】
アーム１１の長さは、後方挟持部（１３ａ、１３ｂ）と前方挟持部１２との間が、概ね、パチンコ台枠２の縦枠の内側壁の幅となるように形成される。これにより、担持具１０の前方挟持部１２と後方挟持部（１３ａ、１３ｂ）とで、パチンコ台枠２の縦枠を前後から挟むことができる。即ち、担持具１０は、傾斜器収納部８に傾斜測定器５を収納した状態で、傾斜測定器５を担持できるものである。尚、担持具１０のアーム１１、前方挟持部１２、後方挟持部（１３ａ、１３ｂ）は、左右に同一構造で設けられ、パチンコ台枠２の縦枠を、左右何れの側であっても挟持できるようになっている。
【００１４】
傾斜器収納部８は、傾斜測定器５の外形形状に対応させて上下を開口させた略角筒形状の部材であり、上下に二箇所の観測窓（１５ａ、１５ｂ）を有する。この観測窓（１５ａ、１５ｂ）は、左右何れの側にも設けられており、両面に計器窓が設けられた傾斜測定器５が挿入された場合でも、左右両側から計器窓が視認できるものとなっている。また、傾斜器収納部８には、蝶ネジ１６と押圧板１７とが設けられており、蝶ネジ１６を回して押圧板１７を前後させることにより、傾斜器収納部８に挿入された傾斜測定器５が固定できる。
【００１５】
島１にパチンコ台枠２を取り付ける作業は、直接釘をハンマーで打ち込むことや、図２に示すような親固定具３や子固定具４を利用するものである。本考案の担持具１０は、このような島１にパチンコ台枠２を取り付ける際に利用されるものであり、傾斜測定器５をパチンコ台枠２に担持させることができる。これにより、一方の手に水準器を持ちながら、他方の手でパチンコ台枠の傾斜角度を調節するといった従来の方法に比べ、両手が使えることから、作業効率が向上する。
【００１６】
即ち、傾斜測定器５を持ちながら片手で作業を行なうのでは、パチンコ台枠２の傾斜調節が思うようにできない。しかし、図２に示すように、担持具１０のアーム１１の側壁面をパチンコ台枠２の縦枠の内側壁に当接させると共に、後方挟持部（１３ａ、１３ｂ）と前方挟持部１２とで、パチンコ台枠２の縦枠の内側壁を挟み、傾斜測定器５をパチンコ台枠２に担持させた場合には、両手が自由に使えるようになるので、作業効率が向上する。
【００１７】
図３は、担持具１０がパチンコ台枠２の左枠６に取り付けられた状態であり、これを図２のＡ方向から見たものである。そして、この図３に示した傾斜測定器５は、ガラス製容器５ａにアルコール等の溶液と一つの気泡５ｂを入れて密封した気泡型の水準器である。この水準器は、図中、７個（１個表示せず）が縦方向に並べられ、それぞれの水準器（２０乃至２５）は、上段より、順に、０．５度だけ傾斜勾配を増加させて設けられている。図３に示したパチンコ台枠２および傾斜測定器５は、垂直状態を示すものであるが、パチンコ台は、通常２、０度程度後方に傾斜させて取り付けられる。従って、図中、水準器２３が水平を示すまで、パチンコ台枠２を傾斜させる。水準器２３の水平状態は、担持具１０の観測窓１５ｂから確認される。
【００１８】
図４は、担持具１０がパチンコ台枠２の右枠７に取り付けられた状態であり、これを図２のＢ方向から見たものである。この図４に示した傾斜測定器５は、下部に重りを有し、針の中央が回動可能に支えられた指針型であり、その計器窓（３０乃至３５）を７個（１個表示せず）縦方向に並べたものである。この指針型は、指針の先端が重りの方向とは反対の方向を指し示すものであるが、上段より、順に、０．５度だけ曲げ角度を増加させている。このような傾斜測定器５を担持具１０に取り付けた場合、同様に、担持具１０の観測窓１５ｂから、計器窓３３を見て、計器窓３３が水平を示す位置（傾斜角度２、０度）まで傾けることにより、パチンコ台枠２を傾斜させて取り付けることができる。
【００１９】
担持具１０は、パチンコ台枠２の左右何れの側にでも取り付けることができるものである。また、担持具１０に取り付けられた傾斜測定器５は、その両側を見ることができる。したがって、パチンコ台枠２の左枠６もしくは右枠７を区別なく使用することができる。しかし、図１の担持具１０を変形して、片側にだけ前方挟持部１２と後方挟持部（１３ａ、１３ｂ）を設けた形態とすることもできる。この場合、パチンコ台枠２の左枠６用には、左側に前方挟持部１２と後方挟持部（１３ａ、１３ｂ）とが設けられる。また、パチンコ台枠２の右枠７用には、右側に前方挟持部１２と後方挟持部（１３ａ、１３ｂ）とが設けられる。つまり、左枠用の担持具１０と右枠用の担持具１０とが必要になるが、使用目的は達することができる。
【図面の簡単な説明】
【００２０】
【図１】本考案による傾斜測定器の担持具の斜視図である。
【図２】担持具の使用を説明する説明図である。
【図３】Ａ方向から見た状態で担持具を説明する説明図である。
【図４】Ｂ方向から見た状態で担持具を説明する説明図である。
【符号の説明】
【００２１】
１  島
２  パチンコ台枠
３  親固定具
４  子固定具
５  傾斜測定器
８  傾斜器収納部
１０  傾斜測定器の担持具
１１  アーム
１２  前方挟持部
１３ａ、１３ｂ  後方挟持部
１４  バネ
１５ａ、１５ｂ  観測窓
１６  蝶ネジ
１７  押圧板
【図１】
0003116356.tif 000003
【図２】
0003116356.tif 000004
【図３】
0003116356.tif 000005
【図４】
0003116356.tif 000006